(57)【要約】【課題】既存の排水処理設備が無くても洗浄排水を分別回収して処理することができ、導入コストや設置スペースを削減することのできる排水処理機能付きの電気集塵機を提供する。【解決手段】集塵部３の下部に貯留槽１６を設け、第一の排水管１５ａから洗浄排水が貯留槽１６に流入した後、洗浄排水は第一の洗浄液６と第二の洗浄液８に層分離され、それぞれ第一の排水回収タンク２３ａと第二の排水回収タンク２３ｂに分別回収され、汚染程度が低いときはそれぞれ再利用される構成としたので、既存の排水処理設備がなくても洗浄排水を分別回収し適切に処理することができ、導入コストや設置スペースが少なくてすむ洗浄排水処理機能付き電気集塵機１を提供できる。【選択図】図１
2009061370.tif 000002
【特許請求の範囲】
【請求項１】
平板電極板に荷電して集塵する集塵部を備え、前記集塵部の汚れを洗浄するための洗浄手段を備え、前記洗浄手段は前記集塵部を密閉する密閉手段と洗浄液をミスト状に噴霧する噴霧手段と前記洗浄液を貯蔵する洗浄液タンクを備え、前記洗浄手段によって発生した洗浄排水を一箇所に溜める貯留槽を備え、前記貯留槽は集塵部の下面と連通するように排水管を介して接続されており、洗浄時に前記洗浄液が貯留槽に排出されないように排水管を開閉する開閉手段を備え、前記貯留槽で前記洗浄排水を層分離させるようにしたことを特徴とした洗浄排水処理機能付き電気集塵機。
【請求項２】
集塵部から排出される排水管の排水管開口部を貯留槽底部に備えたことを特徴とする請求項１に記載の排水処理機能付き電気集塵機。
【請求項３】
貯留槽内の洗浄排水を遠心分離することによって層分離させる遠心手段を備えたことを特徴とする請求項１または２に記載の洗浄排水処理機能付き電気集塵機。
【請求項４】
貯留槽に洗浄排水を加熱する加熱手段を備えたことを特徴とする請求項１または２に記載の洗浄排水処理機能付き電気集塵機。
【請求項５】
貯留槽に排出口を備え、前記排出口に二又の排水管を連通し、分岐した２つの配管それぞれに第二の開閉手段と第三の開閉手段を備え、前記第二の開閉手段と前記第三の開閉手段の開閉を制御できる制御手段を備えたことを特徴とする請求項１〜４のいずれかに記載の洗浄排水処理機能付き電気集塵機。
【請求項６】
貯留槽に前記貯留槽底部からの高さの異なる二つの排出口を備え、それぞれの排出口に第二の開閉手段を備えた第二の排水管と第三の開閉手段を備えた第三の排水管を備え、前記第二の開閉手段と前記第三の開閉手段の開閉を制御できる制御手段を備えたことを特徴とする請求項１〜４のいずれかに記載の洗浄排水処理機能付き電気集塵機。
【請求項７】
排出口の少なくとも一つに排水口からの洗浄排水の逆流を防止する逆流防止手段を設けたことを特徴とする請求項６に記載の洗浄排水処理機能付き電気集塵機。
【請求項８】
貯留槽で層分離した後の下層の洗浄排水量を検知する下層貯留量検知手段を備えたことを特徴とする請求項１〜７のいずれかに記載の洗浄排水処理機能付き電気集塵機。
【請求項９】
貯留槽で層分離した後の上層の洗浄排水量を検知する上層貯留量検知手段備えたことを特徴とする請求項１〜８のいずれかに記載の洗浄排水処理機能付き電気集塵機。
【請求項１０】
第二の開閉手段と第三の開閉手段の開閉を自動で制御する制御手段を設けたことを特徴とする請求項１〜９のいずれかに記載の洗浄排水処理機能付き電気集塵機。
【請求項１１】
貯留槽内に蓄積する固形物を回収する固形物回収手段を前記貯留槽内に備えたことを特徴とする請求項１〜１０のいずれかに記載の洗浄排水処理機能付き電気集塵機。
【請求項１２】
固形物回収手段が金属を回収する金属回収手段を備えていることを特徴とする請求項１〜１１のいずれかに記載の洗浄排水処理機能付き電気集塵機。
【請求項１３】
貯留槽内に蓄積する固形物を乾燥する乾燥手段を備えたことを特徴とする請求項１〜１２のいずれかに記載の洗浄排水処理機能付き電気集塵機。
【請求項１４】
洗浄排水中の固形物を回収する固形物分離手段を排水管の上流に備えたことを特徴とする請求項１〜１３のいずれかに記載の洗浄排水処理機能付き電気集塵機。
【請求項１５】
貯留槽を上下反転させる反転手段を備えたことを特徴とする請求項１〜１４のいずれかに記載の洗浄排水処理機能付き電気集塵機。
【請求項１６】
貯留槽が樹脂で成型されていることを特徴とする請求項１〜１５のいずれかに記載の洗浄排水処理機能付き電気集塵機。
【請求項１７】
貯留槽で層分離された上層液を洗浄液タンクに回収する第四の排水管を備え、前記第四の排水管に回収ポンプを備えたことを特徴とする請求項１〜１６のいずれかに記載の洗浄排水処理機能付き電気集塵機。
【請求項１８】
洗浄排水の汚染度を検知する汚染度検知手段を貯留槽内に備えたことを特徴とする請求項１〜１７のいずれかに記載の洗浄排水処理機能付き電気集塵機。
【発明の詳細な説明】
【技術分野】
【０００１】
本発明は、例えば工場内で発生する粉じんやオイルミストを除去して空気を清浄化するために用いられる電気集塵機に関するものである。
【背景技術】
【０００２】
従来、この種の電気集塵機の洗浄方法として加圧された水を噴霧し粘着性成分を含んだ埃などを洗い流す方法が取られており、またこの種の洗浄排水の処理方法として埃を含んだ洗浄排水を凝集剤と反応させ凝集フロックを形成させ、さらに凝集フロックを加圧浮上させることで排水中の埃などを分離し、発生した汚泥に再び有機凝集剤を添加して再凝集産業廃棄物として廃棄する方法が用いられていた。（例えば特許文献１参照）。
【０００３】
以下、そのような電気集塵機の洗浄方法について図７参照しながら説明する。図７に示すように電気集塵機１０１には洗浄配管１０２と汚水配水管１０３が接続されており、洗浄配管１０２から加圧された水が電気集塵機１０１内に噴霧されることによって、電気集塵機１０１内部の汚れと共に汚水が汚水配水管１０３より排出され、電気集塵機１０１内が洗浄される。汚水配水管１０３から排出される汚水は一度既存の排水処理設備である汚水ピット内に蓄えられ、一定量汚水が蓄積した後、ポンプａ１０５ａより排出され排水処理される。凝集剤溶解装置１０６にて凝集剤を溶解調整し、ポンプｂ１０５ｂより凝集剤溶解液を汚水貯留槽１０７に供給することで汚水と凝集剤溶解液が混合され汚水中の汚染物質が凝集剤と共に凝集され除去される。汚水貯留槽１０７で汚染物質が凝集除去された後の浄化された汚水はポンプｃ１０５ｃより排出される。
【特許文献１】特開平０１−１２７０９６号公報
【発明の開示】
【発明が解決しようとする課題】
【０００４】
しかしながら、このような従来の方法では、既存の排水処理設備がある場合は洗浄排水を既存の排水処理設備で処理することができるが、中小企業などの排水処理設備がない場合は洗浄排水の処理をすることができないという課題がある。また、電気集塵機を洗浄する際に発生する洗浄排水は、生物処理などの適切な方法で浄化処理してから排出しなければ環境中に汚染排水を排出することになり周囲環境を汚染させてしまう。そこで既存の排水処理設備が無い場合、洗浄排水を処理するための排水処理装置を新たに設置する必要があるが、導入コストや設置スペースなど設置上の制約があるという課題がある。また、既存の電気集塵機では発生した洗浄排水を浄化処理するために分別回収することができないという課題がある。そのため、排水処理装置を設置するのが困難であり、洗浄排水を処理することができないために電気集塵機を利用することができないという課題がある。
【０００５】
本発明は、このような従来の課題を解決するものであり、既存の排水処理設備が無くても洗浄排水を処理することができ、電気集塵機を設置し利用することのでき、また、洗浄排水を分別回収することができる洗浄排水処理機能付きの電気集塵機を提供することを目的としている。
【課題を解決するための手段】
【０００６】
本発明の洗浄排水処理機能付き電気集塵機は上記目的を達成するために、平板電極板に荷電して集塵する集塵部を備え、前記集塵部の汚れを洗浄するための洗浄手段を備え、前記洗浄手段は前記集塵部を密閉する密閉手段と洗浄液をミスト状に噴霧する噴霧手段と前記洗浄液を貯蔵する洗浄液タンクを備え、前記洗浄手段によって発生した洗浄排水を一箇所に溜める貯留槽を備え、前記貯留槽は集塵部の下面と連通するように排水管を介して接続されており、洗浄時に前記洗浄液が貯留槽に排出されないように排水管を開閉する開閉手段を備え、前記貯留槽で前記洗浄排水を層分離させるようにしたことを特徴とした洗浄排水処理機能付き電気集塵機としたものである。
【０００７】
これにより、発生する洗浄排水を電気集塵機内で分別回収することができるようになり、既存の排水処理設備がなくても利用することのできる排水処理機能付き電気集塵機を提供することができるようになる。
【０００８】
また他の手段は、集塵部から排出される排水管の排水管開口部を貯留槽底部に備えたことを特徴とする請求項１に記載の排水処理機能付き電気集塵機としたものである。
【０００９】
これにより、洗浄排水を容易に層分離させることができ、容易に分別回収することができる洗浄排水処理機能付き電気集塵機を提供することができるようになる。
【００１０】
また他の手段は、貯留槽内の洗浄排水を遠心分離することによって層分離させる遠心手段を備えたことを特徴とする請求項１または２に記載の洗浄排水処理機能付き電気集塵機としたものである。
【００１１】
これにより、洗浄排水を迅速に層分離させることができ、容易に分別回収することができる洗浄排水処理機能付き電気集塵機を提供することができるようになる。
【００１２】
また他の手段は、貯留槽に洗浄排水を加熱する加熱手段を備えたことを特徴とする請求項１または２に記載の洗浄排水処理機能付き電気集塵機としたものである。
【００１３】
これにより、洗浄排水を水と洗浄液に層分離することのでき、水と洗浄液に分別回収することができる洗浄排水処理機能付き電気集塵機を提供することができるようになる。
【００１４】
また他の手段は、貯留槽に排出口を備え、前記排出口に二又の排水管を連通し、分岐した２つの配管それぞれに第二の開閉手段と第三の開閉手段を備え、前記第二の開閉手段と前記第三の開閉手段の開閉を制御できる制御手段を備えたことを特徴とする請求項１〜４のいずれかに記載の洗浄排水処理機能付き電気集塵機としたものである。
【００１５】
これにより、層分離した洗浄排水を別々に分別回収することのできる洗浄排水処理機能付き電気集塵機を提供することができるようになる。
【００１６】
また他の手段は、貯留槽に前記貯留槽底部からの高さの異なる二つの排出口を備え、それぞれの排出口に第二の開閉手段を備えた第二の排水管と第三の開閉手段を備えた第三の排水管を備え、前記第二の開閉手段と前記第三の開閉手段の開閉を制御できる制御手段を備えたことを特徴とする請求項１〜４のいずれかに記載の洗浄排水処理機能付き電気集塵機としたものである。
【００１７】
これにより、層分離した洗浄排水が再混合することなく別々に分別回収することのできる洗浄排水処理機能付き電気集塵機を提供することができるようになる。
【００１８】
また他の手段は、排出口の少なくとも一つに排水口からの洗浄排水の逆流を防止する逆流防止手段を設けたことを特徴とする請求項６に記載の洗浄排水処理機能付き電気集塵機としたものである。
【００１９】
これにより、層分離した洗浄排水が逆流で再混合することなく分別回収することのできる洗浄排水処理機能付き電気集塵機を提供することができるようになる。
【００２０】
また他の手段は、貯留槽で層分離した後の下層の洗浄排水量を検知する下層貯留量検知手段を備えたことを特徴とする請求項１〜７のいずれかに記載の洗浄排水処理機能付き電気集塵機としたものである。
【００２１】
これにより、層分離した後の下層のオーバーフローで再混合することなく分理回収することのできる洗浄排水処理機能付き電気集塵機を提供することができるようになる。
【００２２】
また他の手段は、貯留槽で層分離した後の上層の洗浄排水量を検知する上層貯留量検知手段備えたことを特徴とする請求項１〜８のいずれかに記載の洗浄排水処理機能付き電気集塵機としたものである。
【００２３】
これにより、層分離した後の上層のオーバーフローで電気集塵部が汚染されることなく洗浄排水を分別回収することのできる洗浄排水処理機能付き電気集塵機を提供することができるようになる。
【００２４】
また他の手段は、第二の開閉手段と第三の開閉手段の開閉を自動で制御する制御手段を設けたことを特徴とする請求項１〜９のいずれかに記載の洗浄排水処理機能付き電気集塵機としたものである。
【００２５】
これにより、層分離した後の洗浄排水を自動で分別回収することができる洗浄排水処理機能付き電気集塵機を提供することができるようになる。
【００２６】
また他の手段は、貯留槽内に蓄積する固形物を回収する固形物回収手段を前記貯留槽内に備えたことを特徴とする請求項１〜１０のいずれかに記載の洗浄排水処理機能付き電気集塵機としたものである。
【００２７】
これにより、貯留槽内に蓄積する固形物を容易に回収除去することのできる洗浄排水処理機能付き電気集塵機を提供することができるようになる。
【００２８】
また他の手段は、固形物回収手段が金属を回収する金属回収手段を備えていることを特徴とする請求項１〜１１のいずれかに記載の洗浄排水処理機能付き電気集塵機としたものである。
【００２９】
これにより、貯留槽内に蓄積する金属粉末などの固形物を容易に回収することのできる洗浄排水処理機能付き電気集塵機を提供することができるようになる。
【００３０】
また他の手段は、貯留槽内に蓄積する固形物を乾燥する乾燥手段を備えたことを特徴とする請求項１〜１２のいずれかに記載の洗浄排水処理機能付き電気集塵機としたものである。
【００３１】
これにより、貯留槽内を乾燥することによって貯留槽内の雑菌の繁殖を抑え衛生的に保つことができる洗浄排水処理機能付き電気集塵機を提供することができるようになる。
【００３２】
また他の手段は、洗浄排水中の固形物を回収する固形物分離手段を排水管の上流に備えたことを特徴とする請求項１〜１３のいずれかに記載の洗浄排水処理機能付き電気集塵機としたものである。
【００３３】
これにより、貯留槽内に固形物を蓄積させないようにすることのできる洗浄排水処理機能付き電気集塵機を提供することができるようになる。
【００３４】
また他の手段は、貯留槽を上下反転させる反転手段を備えたことを特徴とする請求項１〜１４のいずれかに記載の洗浄排水処理機能付き電気集塵機としたものである。
【００３５】
これにより、貯留槽内を清掃する際に貯留槽内を容易に清掃することができる洗浄排水処理機能付き電気集塵機を提供することができるようになる。
【００３６】
また他の手段は、貯留槽が樹脂で成型されていることを特徴とする請求項１〜１５のいずれかに記載の洗浄排水処理機能付き電気集塵機としたものである。
【００３７】
これにより、貯留槽を容易に廃棄することができる洗浄排水処理機能付き電気集塵機を提供することができるようになる。
【００３８】
また他の手段は、貯留槽で層分離された上層液を洗浄液タンクに回収する第四の排水管を備え、前記第四の排水管に回収ポンプを備えたことを特徴とする請求項１〜１６のいずれかに記載の洗浄排水処理機能付き電気集塵機としたものである。
【００３９】
これにより、分別回収した上層液を洗浄液として容易に再利用することができる洗浄排水処理機能付き電気集塵機を提供することができるようになる。
【００４０】
また他の手段は、洗浄排水の汚染度を検知する汚染度検知手段を貯留槽内に備えたことを特徴とする請求項１〜１７のいずれかに記載の洗浄排水処理機能付き電気集塵機としたものである。
【００４１】
これにより、再利用洗浄液の汚染を防止することのできる洗浄排水処理機能付き電気集塵機を提供することができるようになる。
【発明の効果】
【００４２】
本発明によれば、電気集塵機を洗浄した際に発生する洗浄排水を電気集塵機内で分別回収することができるようになり、既存の排水処理設備がなくても利用することのできる排水処理機能付き電気集塵機を提供することができるようになる。
【００４３】
また、洗浄排水を容易に層分離することができ、容易に分別回収することができる洗浄処理機能付き電気集塵機を提供することができる。
【００４４】
また、洗浄排水を迅速に層分離することのでき、迅速に分別回収することができる洗浄処理機能付き電気集塵機を提供することができる。
【００４５】
また、洗浄排水を水と洗浄液に層分離することができ、水と洗浄液に分別回収することができる洗浄排水処理機能付き電気集塵機を提供することができる。
【００４６】
また、層分離した洗浄排水を別々に分別回収することのできる洗浄排水処理機能付き電気集塵機を提供することができる。
【００４７】
また、層分離した洗浄排水が再混合することなく別々に分別回収することのできる洗浄排水処理機能付き電気集塵機を提供することができる。
【００４８】
また、層分離した洗浄排水が逆流で再混合することなく分別回収することのできる洗浄排水処理機能付き電気集塵機を提供することができる。
【００４９】
また、層分離した後の下層のオーバーフローで再混合することなく分理回収することのできる洗浄排水処理機能付き電気集塵機を提供することができる。
【００５０】
また、層分離した後の上層のオーバーフローで電気集塵部が汚染されることなく洗浄排水を分別回収することのできる洗浄排水処理機能付き電気集塵機を提供することができる。
【００５１】
また、層分離した後の洗浄排水を自動で分別回収することができる洗浄排水処理機能付き電気集塵機を提供することができる。
【００５２】
また、貯留槽内に蓄積する固形物を容易に回収除去することのできる洗浄排水処理機能付き電気集塵機を提供することができる。
【００５３】
また、貯留槽内に蓄積する金属粉末などの固形物を容易に回収することのできる洗浄排水処理機能付き電気集塵機を提供することができる。
【００５４】
また、貯留槽内を乾燥することによって雑菌の繁殖を抑え衛生的に保つことができる洗浄排水処理機能付き電気集塵機を提供することができる。
【００５５】
また、貯留槽内に固形物を蓄積させないようにすることのできる洗浄排水処理機能付き電気集塵機を提供することができる。
【００５６】
また、貯留槽内を清掃する際に貯留槽内を容易に清掃することができる洗浄排水処理機能付き電気集塵機を提供することができる。
【００５７】
また、貯留槽を新しいものに交換廃棄する際に、容易に廃棄することができる洗浄排水処理機能付き電気集塵機を提供することができる。
【００５８】
また、分別回収した上層液を洗浄液として容易に再利用することができる洗浄排水処理機能付き電気集塵機を提供することができる。
【００５９】
また、分別回収した上層液を汚染度に応じて洗浄液として再利用することのできる洗浄排水処理機能付き電気集塵機を提供することができる。
【発明を実施するための最良の形態】
【００６０】
本発明の請求項１記載の発明は、平板電極板に荷電して集塵する集塵部を備え、前記集塵部の汚れを洗浄するための洗浄手段を備え、前記洗浄手段は前記集塵部を密閉する密閉手段と洗浄液をミスト状に噴霧する噴霧手段と前記洗浄液を貯蔵する洗浄液タンクを備え、前記洗浄手段によって発生した洗浄排水を一箇所に溜める貯留槽を備え、前記貯留槽は集塵部の下面と連通するように排水管を介して接続されており、洗浄時に前記洗浄液が貯留槽に排出されないように排水管を開閉する開閉手段を備え、前記貯留槽で前記洗浄排水を層分離させるようにしたことを特徴とした洗浄排水処理機能付き電気集塵機としたものであり、電気集塵部を洗浄した後の洗浄排水を、排水管を通じて一箇所の貯留槽に溜めることができるという作用を有し、貯留槽に溜まった洗浄排水を層分離することができるという作用を有し、層分離した洗浄排水を簡単に分別回収することができるという作用を有し、既存の排水処理設備がなくても洗浄排水を処理することのできる洗浄排水処理機能付き電気集塵機を提供することができるという作用を有する。
【００６１】
本発明の請求項２記載の発明は、集塵部から排出される排水管の排水管開口部を貯留槽底部に備えたことを特徴とする請求項１に記載の排水処理機能付き電気集塵機としたものであり、貯留槽底部から洗浄排水を排出させる作用を有し、層分離した後の層界面を通過しなくても貯留槽に洗浄排水を排出することができるようになるという作用を有し、洗浄排水の排出によって層分離した後の層界面の攪拌を防止することができるという作用を有し、洗浄排水を容易に層分離させることができる洗浄排水処理機能付き電気集塵機を提供することができるという作用を有する。
【００６２】
本発明の請求項３記載の発明は、貯留槽内の洗浄排水を遠心分離することによって層分離させる遠心手段を備えたことを特徴とする請求項１または２に記載の洗浄排水処理機能付き電気集塵機としたものであり、遠心手段によって発生する遠心力が洗浄排水に加えるという作用を有し、遠心力によって洗浄排水を迅速に層分離させることができる洗浄排水処理機能付き電気集塵機を提供することができるという作用を有する。
【００６３】
本発明の請求項４記載の発明は、貯留槽に洗浄排水を加熱する加熱手段を備えたことを特徴とする請求項１または２に記載の洗浄排水処理機能付き電気集塵機としたものであり、加熱手段が貯留槽に蓄積した洗浄排水を加熱するという作用を有し、洗浄排水の温度を上昇させることができるという作用を有し、洗浄排水中のノニオン性界面活性剤を曇点以上の温度に上昇させることができるという作用を有し、簡単にノニオン性界面活性剤の親水性を失わせることができるという作用を有し、ノニオン性界面活性剤を水から分離しやすくなるという作用を有し、洗浄排水を水と洗浄液に層分離することのできる洗浄排水処理機能付き電気集塵機を提供することができるという作用を有する。
【００６４】
本発明の請求項５記載の発明は、貯留槽に排出口を備え、前記排出口に二又の排水管を連通し、分岐した２つの配管それぞれに第二の開閉手段と第三の開閉手段を備え、前記第二の開閉手段と前記第三の開閉手段の開閉を制御できる制御手段を備えたことを特徴とする請求項１〜４のいずれかに記載の洗浄排水処理機能付き電気集塵機としたものであり、貯留槽内で層分離した洗浄排水をそれぞれ別々の開閉手段から排出することができるという作用を有し、分離させた洗浄排水を分別回収することができるという作用を有し、分離した洗浄排水を別々に分別回収することのできる洗浄排水処理機能付き電気集塵機を提供することができるという作用を有する。
【００６５】
本発明の請求項６記載の発明は、貯留槽に前記貯留槽底部からの高さの異なる二つの排出口を備え、それぞれの排出口に第二の開閉手段を備えた第二の排水管と第三の開閉手段を備えた第三の排水管を備え、前記第二の開閉手段と前記第三の開閉手段の開閉を制御できる制御手段を備えたことを特徴とする請求項１〜４のいずれかに記載の洗浄排水処理機能付き電気集塵機としたものであり、それぞれ貯留槽底部からの高さの異なる排出口から層分離させた後の洗浄排水を別々に分別回収することができるという作用を有し、分離した洗浄排水が再混合することなく別々に分別回収することのできる洗浄排水処理機能付き電気集塵機を提供することができるという作用を有している。
【００６６】
本発明の請求項７記載の発明は、排出口の少なくとも一つに排水口からの洗浄排水の逆流を防止する逆流防止手段を設けたことを特徴とする請求項６に記載の洗浄排水処理機能付き電気集塵機としたものであり、分離後の洗浄排水が排水口から逆流することを防止することができるという作用を有し、逆流を防止することによって分離後の洗浄排水の再混合を防止することができるという作用を有し、分離した洗浄排水が逆流で再混合することなく分別回収することのできる洗浄排水処理機能付き電気集塵機を提供することができるという作用を有している。
【００６７】
本発明の請求項８記載の発明は、貯留槽で層分離した後の下層の洗浄排水量を検知する下層貯留量検知手段を備えたことを特徴とする請求項１〜７のいずれかに記載の洗浄排水処理機能付き電気集塵機としたものであり、下層貯留量検知手段が層分離した後の下層洗浄排水の量を検知することができるという作用を有し、層分離した後の下層洗浄排水がオーバーフローする前に層分離した洗浄排水を分別回収することができるという作用を有し、層分離した後の下層のオーバーフローで再混合することなく分理回収することのできる洗浄排水処理機能付き電気集塵機を提供することができるという作用を有する。
【００６８】
本発明の請求項９記載の発明は、貯留槽で層分離した後の上層の洗浄排水量を検知する上層貯留量検知手段備えたことを特徴とする請求項１〜８のいずれかに記載の洗浄排水処理機能付き電気集塵機としたものであり、上層貯留量検知手段が層分離した後の上層洗浄排水の量を検知することができるという作用を有し、層分離した後の上層洗浄排水がオーバーフローする前に層分離した洗浄排水を分別回収することができるという作用を有し、層分離した後の上層のオーバーフローで電気集塵部が汚染されることなく洗浄排水を分別回収することのできる洗浄排水処理機能付き電気集塵機を提供することができるという作用を有している。
【００６９】
本発明の請求項１０記載の発明は、第二の開閉手段と第三の開閉手段の開閉を自動で制御する制御手段を設けたことを特徴とする請求項１〜９のいずれかに記載の洗浄排水処理機能付き電気集塵機としたものであり、下層貯留量検知手段が検知した下層洗浄排水の量と上層貯留量検知手段が検知した上層洗浄排水の量に応じて自動で第二の開閉手段と第三の開閉手段を自動で開閉するという作用を有し、層分離した後の洗浄排水を自動で分別回収することができるようになるという作用を有し、層分離した後の洗浄排水を自動で分別回収することができる洗浄排水処理機能付き電気集塵機を提供することができるという作用を有している。
【００７０】
本発明の請求項１１記載の発明は、貯留槽内に蓄積する固形物を回収する固形物回収手段を前記貯留槽内に備えたことを特徴とする請求項１〜１０のいずれかに記載の洗浄排水処理機能付き電気集塵機としたものであり、固形物回収手段によって貯留槽内に蓄積した固形物を容易に回収することができるという作用を有し、貯留槽内に蓄積する固形物を容易に回収除去することのできる洗浄排水処理機能付き電気集塵機を提供することができるという作用を有している。
【００７１】
本発明の請求項１２記載の発明は、固形物回収手段が金属を回収する金属回収手段を備えていることを特徴とする請求項１〜１１のいずれかに記載の洗浄排水処理機能付き電気集塵機としたものであり、金属回収手段によって貯留槽内に蓄積した金属類を容易に回収することができるという作用を有し、貯留槽内に蓄積する金属粉末などの固形物を容易に回収することのできる洗浄排水処理機能付き電気集塵機を提供することができるという作用を有している。
【００７２】
本発明の請求項１３記載の発明は、貯留槽内に蓄積する固形物を乾燥する乾燥手段を備えたことを特徴とする請求項１〜１２のいずれかに記載の洗浄排水処理機能付き電気集塵機としたものであり、乾燥手段が貯留槽内を乾燥させるという作用を有し、貯留槽内が乾燥されることによって貯留槽内の微生物の増殖を抑制することができるという作用を有し、貯留槽内の雑菌の繁殖を抑え衛生的に保つことができる洗浄排水処理機能付き電気集塵機を提供することができるという作用を有している。
【００７３】
本発明の請求項１４記載の発明は、洗浄排水中の固形物を回収する固形物分離手段を排水管の上流に備えたことを特徴とする請求項１〜１３のいずれかに記載の洗浄排水処理機能付き電気集塵機としたものであり、洗浄排水が貯留槽に排出される前に洗浄排水中の固形物を分離することができるという作用を有し、貯留槽内に固形物が進入することを防止することができるという作用を有し、貯留槽内に固形物を蓄積させないようにすることのできる洗浄排水処理機能付き電気集塵機を提供することができるという作用を有する。
【００７４】
本発明の請求項１５記載の発明は、貯留槽を上下反転させる反転手段を備えたことを特徴とする請求項１〜１４のいずれかに記載の洗浄排水処理機能付き電気集塵機としたものであり、反転手段によって貯留槽を容易に上下反転させることができるという作用を有し、貯留槽内に蓄積する固形物が沈着する場所を簡単に移動させることができるという作用を有し、貯留槽内への固形物の沈着を防止することができるという作用を有し、貯留槽内を容易に清掃することができるという作用を有し、貯留槽内を容易に清掃することができる洗浄排水処理機能付き電気集塵機を提供することができるという作用を有する。
【００７５】
本発明の請求項１６記載の発明は、貯留槽が樹脂で成型されていることを特徴とする請求項１〜１５のいずれかに記載の洗浄排水処理機能付き電気集塵機としたものであり、貯留槽を燃料化できる資源ごみとして廃棄できるという作用を有し、貯留槽を容易に廃棄することができる洗浄排水処理機能付き電気集塵機を提供することができるという作用を有している。
【００７６】
本発明の請求項１７記載の発明は、貯留槽で層分離された上層液を洗浄液タンクに回収する第四の排水管を備え、前記第四の排水管に回収ポンプを備えたことを特徴とする請求項１〜１６のいずれかに記載の洗浄排水処理機能付き電気集塵機としたものであり、第四の排水管から分離後の上層液を洗浄液タンクに回収することができるという作用を有し、分離後の洗浄排水の一部を洗浄液として再利用することができるという作用を有し、分別回収した上層液を洗浄液として容易に再利用することができる洗浄排水処理機能付き電気集塵機を提供することができるという作用を有している。
【００７７】
本発明の請求項１８記載の発明は、洗浄排水の汚染度を検知する汚染度検知手段を貯留槽内に備えたことを特徴とする請求項１〜１７のいずれかに記載の洗浄排水処理機能付き電気集塵機としたものであり、層分離された後の上層液の汚染度を検知することができるという作用を有し、上層液の汚染度に応じて洗浄液として再利用することができるという作用を有し、上層液の汚染度が低い場合に洗浄液として回収再利用するようにすることができるという作用を有し、再利用洗浄液の洗浄性能の悪化を防止することができるという作用を有し、再利用洗浄液の汚染を防止することのできる洗浄排水処理機能付き電気集塵機を提供することができるという作用を有している。
【００７８】
以下、本発明の実施の形態について、図１〜図６を参照しながら説明する。
【００７９】
（実施の形態１）
図１は本発明の実施の形態１における洗浄排水処理機能付き電気集塵機１の縦断面構成図であり、図２は実施の形態１における洗浄排水処理機能付き電気集塵機１の洗浄工程を説明するフロー図である。
【００８０】
図１において、排水処理機能付電気集塵機１は筐体２内に集塵部３を備え、空気が流入する空気流入口４と空気が排出する空気流出口５を備えている。集塵部３は例えば電圧を印加できる平行電極版を用いることができる。集塵するものとしては例えば空気中の粉じんやミスト状の油である。集塵部３の上には第一の洗浄液６を噴霧する第一の噴霧手段７と第二の洗浄液８を噴霧する第二の噴霧手段９が配置しており、それぞれ第一のポンプ１０ａと第二のポンプ１０ｂによって第一の洗浄液タンク１１と第二の洗浄液タンク１２に接続されている。噴霧手段としては例えば二流体ノズルを利用することができ、ポンプとしては例えばコンプレッサーを用いることができる。洗浄液としては例えば水やノニオン性界面活性剤を用いることができ、洗浄液タンクとしては例えばポリタンクを用いることができる。このように、洗浄手段は第一の洗浄液６と第一の噴霧手段７と第二の洗浄液８と第二の噴霧手段９と第一のポンプ１０ａと第二のポンプ１０ｂと第一の洗浄液タンク１１と第二の洗浄液タンク１２から構成されている。
【００８１】
また、集塵部３を洗浄する再に集塵部３を密閉する密閉手段１３を空気流入口４と空気流出口５の間に備えている。密閉手段１３は例えば電動ダンパーを用いることができる。集塵部３の下には洗浄排水を受けるドレインパン１４ａを設け、洗浄排水を排出する排水口１４ｂを備えている。排水口１４ｂは第一の排水管１５ａを介して貯留槽１６に接続されており、排水口１４ｂには固形物分離手段１７が備えられ、第一の排水管１５ａには第一の開閉手段１８ａが備えられている。第一の排水管１５ａは貯留槽１６の底部に排水管開口部１９を備えている。貯留槽１６は例えばポリタンクを用いることができ、排水管は例えば塩化ビニル管を用いることができる。固形物分離手段１７は例えばメッシュフィルターを用いることができ、開閉手段としては例えば電磁弁を用いることができる。
【００８２】
貯留槽１６内には下層貯留量検知手段２０と上層貯留量検知手段２１を備え、制御手段２２に配線されている。貯留量検知手段は例えば重量センサーを用いることができる。また、貯留槽１６の上部に第二の開閉手段１８ｂを備えた第二の排水管１５ｂが第一の排水回収タンク２３ａに連通するように配置されており、貯留槽１６下部に第三の開閉手段１８ｃを備えた第三の排水管１５ｃが第二の排水回収タンク２３ｂに連通するように配置されており、第二の開閉手段１８ｂと第三の開閉手段１８ｃは制御手段２２に配線されている。排水回収タンクとしては例えばポリタンクを用いることができ、制御手段２２としては制御プログラムの入力されたマイコンを用いることができる。
【００８３】
また、貯留槽１６を覆うように加熱手段２４が配置され、加熱手段２４は制御手段２２に配線されている。加熱手段２４としては例えば加熱ヒーターを用いることができる。
【００８４】
また、貯留槽１６上部に第四の開閉手段１８ｄを備えた第四の排水管１５ｄが第二の洗浄液タンク１２に連通するように配置されており、第四の排水管１５ｄは第三のポンプ１０ｃを備えている。また、貯留槽１６上部には制御手段２２に配線された汚染度検知手段２５が備えてある。汚染濃度検知手段としては例えば吸光度計を用いることができる。また、貯留槽１６は例えばＰＥＴなどの樹脂で成形することができる。
【００８５】
上記構成において、密閉手段１３で集塵部３を囲み、続いて第一の噴霧手段７と第二の噴霧手段９から第一の洗浄液６と第二の洗浄液８を集塵部３に吹き付けることによって、洗浄液の飛散を最小限に抑えて集塵部３に付着した粉じんやオイルを除去洗浄することができる。噴霧された洗浄液はドレインパン１４ａで集められ排水口１４ｂから第一の排水管１５ａを介して貯留槽１６内に排水される。貯留槽１６内に排出された第一の洗浄液６として水を使用し、第二の洗浄液８としてＴｒｉｔｏｎＸ−１００を用いた場合、通常温度では汚れと界面活性剤と水がエマルジョン化された状態で貯留槽１６に流入してくるが、洗浄排水を加熱手段２４で例えば６４℃まで加熱することによって、曇点６４℃の界面活性剤であるＴｒｉｔｏｎＸ―１００を疎水性にして水と層分離させることができる。
【００８６】
層分離した後に上層にきたＴｒｉｔｏｎＸ−１００の汚染度を例えば吸光度で検出すれば、吸光度が低い場合には汚染度が低いと判断でき、第四の開閉手段１８ｄを開き、第三のポンプ１０ｃを駆動することによってＴｒｉｔｏｎＸ−１００を第二の洗浄液タンク１２内に回収し再利用することができる。また、吸光度が高い場合は汚染度が高いと判断し、第二の開閉手段１８ｂを開き第一の排水回収タンクに汚染度の高いＴｒｉｔｏｎＸ―１００を回収することができる。
【００８７】
また層分離した後の下層にきた水は第三の開閉手段１８ｃを開き、第二の排水回収タンク２３ｂに回収することができる。このように貯留槽で層分離させた排水から再利用できる界面活性剤を回収再利用し、また、界面活性剤と水を分離し別々に分別回収することができるようになり、また、電気集塵機内で排水を分別回収することができるようになるので、排水処理設備がなくても電気集塵機を導入することできるようになる。また、第三の排水管１５ｃにポンプを備え、第一の洗浄液タンク１１に連通させることもでき、この場合、例えば水が第一の洗浄液６として再利用することができ、既存の排水処理設備がなくても排水を処理することができるようになる。
【００８８】
洗浄排水を貯留槽１６に排水する際、排水管開口部１９が貯留槽１６の底部付近に配置してあるので、層分離した後の洗浄排水の界面を通過しなくても洗浄排水が貯留槽１６内に排水され、層分離した界面が乱されることなく、層分離させる時間が短縮できるようになる。
【００８９】
次に図２を用いて本実施の形態１における洗浄排水処理工程を説明する。集塵部３を洗浄した後、最初の工程（Ｓ１）として制御手段２２に開始信号を入力する。開始信号とは例えば制御手段２２の開始スイッチを用いることができる。次の工程として（Ｓ２）下層貯留槽検知手段２０によって下層貯留量を検知し、下層貯留量下限値以上であれば第三の工程（Ｓ３）として加熱手段２４を作動させ、洗浄排水を加熱する。下限貯留量下限値以下の場合は、再びＳ２に戻り下層貯留量を検知する。ここで、下層貯留量下限値とは、第三の排水管１８ｃが接続されている上まで洗浄排水が蓄積している量とする。
【００９０】
次に、加熱手段２４を一定時間運転させた（Ｓ４）後に、上層貯留量検知手段２１によって上層貯留量を検知し（Ｓ５）、上層貯留量下限値以上であれば汚染度検知手段２５を作動させる。ここで、上層貯留量下限値とは、第二の排水管１５ｂが接続されている上まで洗浄排水が蓄積している量とする。上層貯留量下限値以上でない場合は第１０の工程まで進み、第三の開閉手段１５ｃを開き第二の排水回収タンク２３ｂに排水を回収する。
【００９１】
次に汚染濃度下限値以下であれば（Ｓ６）次の洗浄液再利用回収工程へ進み（Ｓ７）第四の開閉手段１８ｄを開き、第三のポンプ１０ｃを作動させて、第二の洗浄液８として第二の洗浄液タンク１２内に回収し再利用する。ここで、汚染濃度下限値とはあらかじめ設定しておいた濁度の値で、第二の噴霧手段９を詰まらせない洗浄液の濃度を保証する値のことである。
【００９２】
このように、貯留槽１６に一度排水を集め分離した排水を層分離させることによって排水を分別回収することができ、分別回収されたそれぞれの排水を処理することができるようになし、既存の排水処理設備がなくても排水を処理することができるようになる。
【００９３】
（実施の形態２）
図３は本発明の実施の形態２における洗浄排水処理機能付き電気集塵機１の遠心手段２６を備えた貯水槽１６の縦断面構成図である。実施の形態１と同一部分は同一符号を附し詳細な説明は省く。
【００９４】
図３において、遠心手段２６は貯留槽１６の底部に接続されており、遠心手段２６で遠心分離された排水は第一の戻し配管２７ａと第二の戻し配管２７ｂによって貯留槽１６に戻されるように連通されており、遠心手段２６は制御手段２２に配線されている。ここで、第一の戻し配管２７ａは第二の戻し配管２７ｂよりも下方で貯留槽１６と連通されている。遠心手段２６は、例えば分離板型遠心分離機を用いることができ、戻し配管は例えば塩化ビニルチューブを用いることができる。
【００９５】
上記構成において、遠心手段２６を作動させると洗浄排水中の比重の重い排水が貯留槽１６の下方に戻され、比重の軽い排水が貯留槽１６の上方に戻されるようになる。遠心手段２６の作動によって連続的に洗浄排水が遠心分離され、遠心分離された排水は貯留槽１６内に分離した状態で戻されるので、洗浄排水の層分離が静置する場合よりも迅速に行われるようになる。遠心手段２６を作動できる下限の量をあらかじめ遠心手段下限量と設定しておき、制御手段２２のプログラムとして記憶させておき、下層貯留量検知手段２０によって検知される量が遠心手段下限量以上のとき遠心手段２６を作動させるようにプログラムしておけば、洗浄排水を自動で遠心分離することもできるようになる。
【００９６】
（実施の形態３）
図４は本発明の実施の形態３における二又排水管２８を備えた貯留槽１６の縦断面構成図である。実施の形態１、２と同一部分は同一符号を附し詳細な説明は省く。
【００９７】
図４において、二又排水管２８が貯留槽１６の底部に連通されており、二又に分岐したところで第二の開閉手段１８ｂと第三の開閉手段１８ｃを備えている。二又排水管２８は第一の排水回収タンク２３ａと第二の排水回収タンク２３ｂに連通しており、第二の開閉手段１８ｂと第三の開閉手段１８ｃはそれぞれ制御手段２２に配線されている。また、貯留槽１６内にはそれぞれ制御手段２２に配線された下層貯留量検知手段２０と上層貯留量検知手段２１を備えている。ここで、二又排水管とは例えば一つの入り口と２つ以上の出口を持った塩化ビニル管を使用することができる。
【００９８】
上記構成において、貯留槽１６で洗浄排水を層分離させる間は、第二の開閉手段１８ｂと第三の開閉手段１８ｃはあらかじめ閉めておく。貯留槽１６内で層分離された洗浄排水が一定量を超えた場合、第三の開閉手段１８ｃを開き第二の排水回収タンク２３ｂに層分離した下層の洗浄排水を回収し、ついで第三の開閉手段１８ｃを閉じ第二の開閉手段１８ｂを開くことによって層分離した上層の洗浄排水を第一の排水回収タンク２３ａに回収することができる。
【００９９】
この際、下層貯留量検知手段２０と上層貯留量検知手段２１によって検出された洗浄排水の量に応じて開閉手段を開け閉めするタイミングを調節することによって、層分離させた洗浄排水をそれぞれ別々の回収タンク内に回収することができるようになる。
【０１００】
（実施の形態４）
図５（ａ）は本発明の実施の形態４における逆流防止手段２９を備えた貯留槽１６の斜視図であり、図５（ｂ）はその縦断面構成図である。実施の形態１、２、３と同一部分は同一符号を附し詳細な説明は省く。
【０１０１】
図５（ａ）において、逆流防止手段２９が第二の排水管１５ｂの貯留槽１６内側に取り付けられている。また、貯留槽１６の下部には固形物回収手段３０が備えられている。逆流防止手段２９は例えば衝立を用いることができ、第二の排水管１５ｂの開口部下に配置しており、上層の洗浄排水を第二の排水管１５ｂから排水する際に、排水の勢いで界面下方向から下層液が第二の排水管１５ｂ内に混入しないように下層からの舞い上がりを抑制することができる。そのため、層分離後の上層液を勢い良く排出しても下層液が舞い上がって混入することがなくなり、迅速に層分離後の洗浄排水を分別回収することができるようになる。
【０１０２】
図５（ｂ）において、固形物回収手段３０が貯留槽１６の底部付近に備えられており、貯留槽１６の底部下に金属回収手段３１を備えている。また、固形物回収手段３０の外側に制御手段２２に配線された乾燥手段３２が配置されている。固形物回収手段３０は例えば貯留槽１６底部に設けられた開閉窓であり、開閉窓を開くことで貯留槽１６底部を清掃することができるようになる。また、金属回収手段３１は例えば磁石を用いることができ、固形物回収手段３０の近傍に配置することによって、洗浄排水中の金属粒子３３を磁力でひきつけて集めることができ、金属回収手段３１によって集められた金属粒子３３は固形物回収手段３０から容易に取り除くことができるようになる。乾燥手段３２は例えば送風ファンを用いることができ、固形物回収手段３０を開きながら乾燥手段３２を作動させることによって貯留槽１６の底部に風が当たり、水分を蒸発させ乾燥させることができるようになる。貯留槽１６内に例えば界面活性剤や油または固形物が長期間水分と共に放置されると、有機物をえさに雑菌が繁殖し衛生上課題が生するが、貯留槽１６内の水分を無くすことによって雑菌の繁殖を防止し衛生的に保つことができるようになる。
【０１０３】
（実施の形態５）
図６は本発明の実施の形態５における反転手段３４を備えた貯留槽１６の斜視図である。実施の形態１、２、３、４と同一部分は同一符号を附し詳細な説明は省く。
【０１０４】
図６において、貯留槽１６は円筒形を有しており円形側面の中心を結んだ中心軸３６を中心に回転できるように反転手段３４によって固定されている。また、貯留槽１６の曲面および円形側面には配管接続口３５が複数設けられている。反転手段３４は例えばポリプロピレン樹脂で成形された板であり集塵部３の下に配置される。また、配管接続口３５は例えば開閉自由なゴム栓などを用いることができ、第一の排水管１５ａ、第二の排水管１５ｂ、第三の排水管１５ｃを着脱させることができる。
【０１０５】
上記構成において、円筒形の貯留槽１６の底部に粉じんや金属カスなどの固形物が蓄積してしまった場合、貯留槽１６を９０度回転させ、第一の排水管１５ａ、第二の排水管１５ｂ、第三の排水管１５ｃを接続しなおすことで、固形物が蓄積する場所を移動させることができるようになる。固形物が蓄積する場所を定期的に移動することによって固形物が貯留槽１６内壁に沈着することを防止でき、固形物の清掃を容易に行うことができるようになる。また、貯留槽１６を１８０度回転させることによって内壁に蓄積していた粉じんや金属カスを落下させることができるようになり、貯留槽１６内の固形物を一箇所に集め容易に清掃することができる。
【産業上の利用可能性】
【０１０６】
本発明の洗浄排水処理機能付き電気集塵機を用いることによって既存の排水処理設備がなくても洗浄排水を分別回収し、排水処理することができる電気集塵機を提供することができ、既存の排水処理設備がなくてもメンテナンスしやすい電機集塵機を利用することができるようになる。また、洗浄排水の浄化方法が効率的になるため、環境負荷の低い排水処理方法となり、浄化コストも低減させることができる。また、油煙排気装置など油を取り除く調理機器や産業用機器にも適用できる。
【図面の簡単な説明】
【０１０７】
【図１】本発明の実施の形態１の洗浄排水処理機能付き電気集塵機の構成図
【図２】同洗浄排水処理の動作フローを示す図
【図３】本発明の実施の形態２の貯留槽の構成図
【図４】本発明の実施の形態３の貯留槽の構成図
【図５】本発明の実施の形態４の貯留槽の構成図（（ａ）同貯留槽の斜視図、（ｂ）同貯留槽の縦断面構成図）
【図６】本発明の実施の形態５の貯留槽の構成図
【図７】従来の電気集塵機の排水処理設備の構成図
【符号の説明】
【０１０８】
１        洗浄排水処理機能付き電気集塵機
２        筐体
３        集塵部
４        空気流入口
５        空気流出口
６        第一の洗浄液
７        第一の噴霧手段
８        第二の洗浄液
９        第二の噴霧手段
１０ａ    第一のポンプ
１０ｂ    第二のポンプ
１０ｃ    第三のポンプ
１１      第一の洗浄液タンク
１２      第二の洗浄液タンク
１３      密閉手段
１４ａ    ドレインパン
１４ｂ    排水口
１５ａ    第一の排水管
１５ｂ    第二の排水管
１５ｃ    第三の排水管
１５ｄ    第四の排水管
１６      貯留槽
１７      固形物分離手段
１８ａ    第一の開閉手段
１８ｂ    第二の開閉手段
１８ｃ    第三の開閉手段
１８ｄ    第四の開閉手段
１９      排水管開口部
２０      下層貯留量検知手段
２１      上層貯留量検知手段
２２      制御手段
２３ａ    第一の排水回収タンク
２３ｂ    第二の排水回収タンク
２４      加熱手段
２５      汚染度検知手段
２６      遠心手段
２７ａ    第一の戻し配管
２７ｂ    第二の戻し配管
２８      二又排水管
２９      逆流防止手段
３０      固形物回収手段
３１      金属回収手段
３２      乾燥手段
３３      金属粒子
３４      反転手段
３５      配管接続口
３６      中心軸
１０１    電気集塵機
１０２    洗浄配管
１０３    汚水配水管
１０４    汚水ピット
１０５ａ  ポンプａ
１０５ｂ  ポンプｂ
１０５ｃ  ポンプｃ
１０６    凝集剤溶解装置
１０７    汚水貯留槽
【図１】
2009061370.tif 000003
【図２】
2009061370.tif 000004
【図３】
2009061370.tif 000005
【図４】
2009061370.tif 000006
【図５】
2009061370.tif 000007
【図６】
2009061370.tif 000008
【図７】
2009061370.tif 000009